(57)【要約】僅かな取付け場所しか必要としない係脱自在の油圧支持部材を提案する。このためにスライド（２３）の穴（１６）が油圧式遊び補償要素（１１）の圧力ピストン（１０）の横で内部部材（７）を通り、盲穴として作製されている。これによって従来先行技術で見られる内部部材と遊び補償要素の穴の、上下に重ねて組み込んだ構造が廃止される。同時に、スライド（２３）はシリンダヘッド（５）にあるハウジング（１９）に組込まれている。【選択図】図１
2004522885.tif 000002
【特許請求の範囲】
【請求項１】
内燃機関の弁操作機構のための係脱自在の支持部材であって、外側ハウジング（２）、内部部材（７）、油圧式遊び補償要素（１１）及び連結手段（２２）を有し、外側ハウジング（２）の外周面（３）がシリンダヘッド（５）のソケット（４）の中に取付けられ、かつ外側ハウジング（２）が縦穴（６）を有し、切断の場合は、内部部材（７）が縦穴（６）の中で軸方向に移動可能であり、内部部材（７）が別の穴（９）を有し、その中に頭部（１５）を備えた圧力ピストン（１０）が遊び補償要素（１１）の構成部分として収容され、連結手段（２２）が内部部材（７）及び外側ハウジング（２）に半径方向に又は割線状に延びる少なくとも１個の穴（１６、１７）と少なくとも１個の所属のスライド（２３）からなり、内部部材（７）と外側ハウジング（２）の相対位置で上記の穴（１６，１７）が互いに一線に並び、連結の場合は、よりスライド（２３）が作動手段（２４）によって外側ハウジング（２）の穴（１７）から内部部材（７）の穴（１６）へ所定の区間を移動させられるものにおいて、
内部部材（７）の穴（１６）が盲穴として作製され、その軸線が内部部材（７）の別の穴（９）と交差することを特徴とする支持部材。
【請求項２】
スライド（２３）がロッドとして形成され、切断の場合はロッドの内側端面（２５）が内部部材（７）の穴（１６）の手前にあり、作動手段（２４）がシリンダヘッド（５）に取付けられたハウジング（１９）の中にあり、支持部材（１）に面したハウジング（１９）の部分（１８）が外側ハウジング（２）の穴（１７）を貫いて延びており、その内側（２０）が軸方向溝（２１）又は外周面（８）の平坦部に達していることを特徴とする請求項１に記載の支持部材。
【請求項３】
スライド（２３）が電磁式又は油圧式作動手段（２４）により移動させられることを特徴とする請求項１又は２に記載の支持部材。
【請求項４】
スライド（２３）に復帰手段例えば少なくとも１個の圧縮ばねが配属され、圧縮ばねが作動手段（２４）の移動方向と逆向きに作用し、同じくハウジング（１９）に取付けられていることを特徴とする、請求項２に属する請求項３に記載の支持部材。
【発明の詳細な説明】
【０００１】
［発明の分野］
本発明は外側ハウジング、内部部材、油圧式遊び補償要素及び連結手段を有し、外側ハウジングの外周面がシリンダヘッドのソケットの中に取付けられ、かつ外側ハウジングが縦穴を有し、切断の場合は内部部材が縦穴の中で軸方向に移動可能であり、内部部材が別の穴を有し、その中に頭部を備えた圧力ピストンが遊び補償要素の構成部分として収容され、連結手段が内部部材及び外側ハウジングに半径方向に又は割線状に延びる少なくとも１個の穴と少なくとも１個の所属のスライドからなり、内部部材と外側ハウジングの相対位置で上記の穴が互いに一線に並び、連結の場合はスライドが作動手段によって外側ハウジングの穴から内部部材の穴へ所定の区間を移動させられる、内燃機関の弁操作機構のための係脱自在の支持部材に関する。
【０００２】
［発明の背景］
種概念に係る支持部材はドイツ国特許公報ＤＥ４４２２３４０Ａ１で明らかである。内部部材をカム方向に戻すためにいわゆるロストモーション（から動き）圧縮ばねが設けられ、それが全長を増加する。またスライドのための内部部材の穴は全内部部材を半径方向に貫通し、遊び補償要素の軸方向下側に配設されている。こうして上下に重ねて組込んだ不利な構造が生じる。支持部材のためのシリンダヘッドのソケットの至近区域に例えば冷却水通路又は給排気路が通っているから、比較的長い支持部材の取付け深さには限界があり、又は既存のシリンダヘッドを費用を掛けて変更しなければならない。ところがこの変更は特に給排気路の流れ条件に干渉することになるので、多くの場合不可能である。
【０００３】
［発明の目的］
そこで発明の課題は、上述の欠点が簡単な手段により取り除かれた上記の種類の係脱自在の支持部材を提供することである。
【０００４】
［発明の要約］
本発明に基づきこの課題は内部部材の穴が盲穴として作製され、その軸線が内部部材の別の穴と交差することによって解決される。
【０００５】
こうして簡単な手段により上記の欠点が取り除かれる。遊び補償要素及びスライドのための内部部材の穴を上下に重ねて組込んだ、従来先行技術で見られる構造が回避される。こうして上記の先行技術による解決策よりも短く構成され、従って従来の構造のシリンダヘッドにたやすく取付けることができる係脱自在の支持部材が生じる。
【０００６】
周囲に分布した複数個の連結手段を使用することももちろん可能であり、それによってより高い負荷能力が得られる。
【０００７】
発明の好ましい実施形態によれば、例えばロッドとして作製されたスライドのための作動手段は、シリンダヘッドにあって外側ハウジングの受座に隣接するハウジングに取付けられる。同時にハウジング部片の内側端面によって、外側ハウジングに対する内側部材の簡単な回り止めを設けることが提案される。また外側ハウジングに対する内部部材の垂直ストップをこの区域に実現することもできる。この処置に基づき、別の回り止め手段や垂直ストップ手段を廃止することができる。作動手段のためのハウジングは、好都合なことに冒頭に挙げた冷却水通路、給排気路や点火プラグピット、カムシャフト軸受等と交差しないシリンダヘッド区域に配設される。
【０００８】
こうしてスライドとその作動手段はほとんど支持部材の外部にあり、支持部材に対して半径方向に又は割線状に作用するだけである。スライドの斜め係合又は例えば球、つめ又はピンによる直接連結も考えられる。これらはスライドによって作動され、従ってスライドは直接的係合部材ではない。
【０００９】
発明の別の好ましい実施形態によれば、スライドを電磁的又は油圧的に作動するように構成されている。例えばスライド自体の外側端面が圧油のための圧力室を画定し、又は電磁作動用の接極子板を備えたアクチュエータロッドとして形成することができる。
【００１０】
最後に、電磁式又は油圧式作動手段の力に抗してスライドをリセットするための手段を同じくハウジングに取付けた構成とする。これは切換え式支持部材の小型化を目指すもう一つの対策である。
【００１１】
支持部材がカムリフトによって完全にではなく部分的にだけ切断される解決策も同じく本発明の保護範囲に含まれる。スライドの穴を内部部材の様々な高さに配置することによって複数の切断段階を実現することも考えられる。
【００１２】
図面に基づいて発明を詳述する。単一の図は係脱自在の支持部材の縦断面概略図を示す。
【００１３】
［図の詳細な説明］
図１は係脱自在の支持部材１を開示する。支持部材１は外周面３がシリンダヘッド５のソケット４に固設された外側ハウジング２を備える。外側ハウジング２は縦穴６を有する。縦穴６の中に、外周面８を有する内部部材７が通っている。内部部材７の穴９の中に詳しく説明しない油圧式遊び補償要素１１の構成部分として軸方向移動可能な圧力ピストン１０が取付けられている。内部部材７の底部１２と、相対する逆止弁１３との間に圧油のための高圧室１４がある。同時に底部１２と外側ハウジング２の底部１４ａとの間にロストモーションばね１４ｂが緊挿されている。また図は、圧力ピストン１０が内部部材７から突出する頭部１５を有することを開示する。この頭部１５は、図示しない切換え可能又は切換え不能なドラグレバーのためのささえとして使用される。
【００１４】
内部部材７と外側ハウジング２は各々１個の穴１６、１７を有する。ここに示す略図ではこれらの穴が互いに一線に並んでいる。内部部材７の穴１６は盲穴として形成され、圧力ピストン１０の高さにある。その軸線は内部部材７の穴９と交差する。
【００１５】
これに対して外側ハウジング２の穴１７は貫通穴として作られている。この穴の中にハウジング１９の部分１８が通っている。ハウジング部分１８はその内側２０が外周面８の軸方向溝２１の中に達し、この軸方向溝２１によって側面を取囲まれる。この構造は外側ハウジング２に対する内部部材７の回り止めとして、それとともに穴１６、１７の周方向位置の一致のために利用される。内側２０の下側に張り出す、軸方向溝２１の図示しない段差部によって穴１６、１７の軸方向位置の一致を実現することもできる。
【００１６】
穴１６、１７は連結手段２２の構成部分である。連結手段２２の別の構成部分は、ここに概要だけ図示したスライド２３である。スライド２３はハウジング１９の中にあり、又はハウジング部分１８によって取囲まれる。ここに示す変型によれば穴１６、１７は互いに一線に並んでいるから、作動手段２４の力によってスライド２３の内側端面２５を内部部材７の穴１６の中に所定の区間だけ移動することができる。それによって支持部材１は接続され、ドラグレバーにより作動される給排気弁が最大行程で開放することになる。切断の場合は作動手段２４又はスライド２３に作用するリセット手段（図示せず）例えば圧縮ばねがスライド２３を、内部部材７の穴１６が開放されるまで後退させる。こうして内部部材７はカムリフトとともに外側ハウジング２に対して相対的に移動させられる。給排気弁が引き続き閉鎖され、ドラグレバーが支持部材側に旋回される。
【００１７】
発明の特別の利点は、支持部材１がごく僅かな取付け場所しか必要としないことである。この場合単に盲穴として作られた内部部材７の穴１６を圧力ピストン１０の横に配置することによって、スライド及び油圧式遊び補償要素のための内部部材の貫通穴の従来先行技術で上下に重ねて組込んだ構造が廃止される。
【図面の簡単な説明】
【図１】
係脱自在の支持部材の縦断面概略図である。
【符号の説明】
１  支持部材
２  外側ハウジング
３  外周面
４  ソケット
５  シリンダヘッド
６  縦穴
７  内部部材
８  外周面
９  穴
１０  圧力ピストン
１１  油圧式遊び補償要素
１２  底部
１３  逆止め弁
１４  高圧室
１４ａ  底部
１４ｂ  ロストモーションばね
１５  頭部
１６  穴
１７  穴
１８  ハウジング部片
１９  ハウジング
２０  内側
２１  軸方向溝
２２  連結手段
２３  スライド
２４  作動手段
２５  内側端面
【国際公開パンフレット】
2004522885.tif 000003
2004522885.tif 000004
2004522885.tif 000005
2004522885.tif 000006
2004522885.tif 000007
2004522885.tif 000008
2004522885.tif 000009
2004522885.tif 000010
2004522885.tif 000011
2004522885.tif 000012
2004522885.tif 000013
2004522885.tif 000014
【国際調査報告】
2004522885.tif 000015
2004522885.tif 000016
2004522885.tif 000017
2004522885.tif 000018
2004522885.tif 000019
2004522885.tif 000020